(57)【特許請求の範囲】
【請求項１】
センサによる人体検知に基づいて吐水口から自動的に吐水するようになした吐水装置において
吐水パイプを逆Ｕ字状のグースネック形状となして、該吐水パイプの先端部の内部にセンサ空間を形成し、該センサ空間に前記センサを収容するとともに、該吐水パイプの内部には、該吐水パイプの基端側から該吐水パイプに沿って給水チューブを通して該給水チューブの先端側を、該吐水パイプに且つその先端から該基端側に所定距離引き込んだ位置に形成した貫通の引出開口を通じて外部且つ前記吐水パイプの先端部の下側に引き出して、該吐水パイプの下側に配置した前記吐水口を有する吐水口部材に接続し、該給水チューブの引出部分及び前記吐水パイプの先端側の下面部分を、該吐水パイプの先端部の下側に配したカバーにて隠蔽状態に覆ってあり、
前記センサは、前記吐水パイプの先端面の開口から引出可能となしてあるとともに、前記カバーは脱着可能に設けてあって、該カバーに該センサの引出しを阻止するストッパが設けてあることを特徴とする吐水装置。
【発明の詳細な説明】
【技術分野】
【０００１】
この発明は吐水装置に関し、詳しくはセンサによる人体検知に基づいて吐水口から自動的に吐水するようになした吐水装置に関する。
【背景技術】
【０００２】
従来より、センサによる人体検知に基づいて吐水口から自動的に吐水するようになした吐水装置が広く用いられている。
この種の吐水装置においては、通常、吐水部の先端部分にセンサが設けられる。
従来そのセンサの配置ないし取付構造として種々のものが提案されている。
【０００３】
例えば下記特許文献１には、吐水パイプの先端より前側に下カバーと上カバーとで囲まれた収容空間を形成して、そこに給水チューブやチューブガイド等の部材と一緒にセンサを組み込み、収容した形態のものが開示されている。
【０００４】
しかしながらこの特許文献１に開示のものでは、センサが給水チューブやその保持部材としてチューブガイド等の部材と一緒に収容空間に収容してあることから，収容空間内部の構造が複雑であり、センサ故障時における取替え等のメンテナンスを行うときに、センサの位置を探し出してメンテナンス作業を行わなければならず、メンテナンス性の点で不十分である。
【０００５】
またこの特許文献１に開示のものでは、センサを給水チューブ，チューブガイド等の部材と一緒に収容すべく大きな収容空間を形成する必要があることから、上カバーが吐水パイプから径方向の上向きに突出しており，これにより外観上最も目立ち易い吐水パイプの上面側の形状が不連続的な凹凸形状をなしていて美観の点で不十分であり、また吐水パイプの上面側の不連続的な形状によって上面側の清掃性の点でも問題点を有している。
【０００６】
一方下記特許文献２には、吐水口を有する吐水パイプの先端側に、吐水パイプとは別部材であるヘッドを取り付けて、そのヘッドの内部に収容空間を形成し、そこにセンサを収容した形態のものが開示されている。
しかしながらこの特許文献２に開示のものは、吐水パイプの先端側に別部材が取り付いていることから、見栄えが良好でない問題がある。
【０００７】
【特許文献１】特開２００６−１４４３２４号公報
【特許文献２】実開平５−５４６７２号公報
【発明の開示】
【発明が解決しようとする課題】
【０００８】
本発明は以上のような事情を背景とし、センサのメンテナンス性が良好で見栄えも良く、且つ清掃性も良好な吐水装置を提供することを目的としてなされたものである。
【課題を解決するための手段】
【０００９】
而して請求項１のものは、センサによる人体検知に基づいて吐水口から自動的に吐水するようになした吐水装置において、吐水パイプを逆Ｕ字状のグースネック形状となして、該吐水パイプの先端部の内部にセンサ空間を形成し、該センサ空間に前記センサを収容するとともに、該吐水パイプの内部には、該吐水パイプの基端側から該吐水パイプに沿って給水チューブを通して該給水チューブの先端側を、該吐水パイプに且つその先端から該基端側に所定距離引き込んだ位置に形成した貫通の引出開口を通じて外部且つ前記吐水パイプの先端部の下側に引き出して、該吐水パイプの下側に配置した前記吐水口を有する吐水口部材に接続し、該給水チューブの引出部分及び前記吐水パイプの先端側の下面部分を、該吐水パイプの先端部の下側に配したカバーにて隠蔽状態に覆ってあり、前記センサは、前記吐水パイプの先端面の開口から引出可能となしてあるとともに、前記カバーは脱着可能に設けてあって、該カバーに該センサの引出しを阻止するストッパが設けてあることを特徴とする。
【発明の作用・効果】
【００１０】
以上のように本発明は、吐水パイプを逆Ｕ字状のグースネック形状となし、その吐水パイプの先端部の内部にセンサ空間を形成して、そこにセンサを収容し、また吐水パイプの先端側の部分の下側にカバーにて囲まれた給水チューブの収容空間を形成して、そこに吐水パイプから引き出した給水チューブの引出部分を収容するようになしたものである。
【００１１】
かかる本発明においては、センサ空間と給水チューブの引出部分の収容空間とが別々の空間として形成されているため、センサのメンテナンスを行う必要が生じたときに、センサの位置が分り易いとともにセンサの脱着が容易で、センサのメンテナンス性を良好となすことができる。
【００１２】
また本発明では、センサが吐水パイプそのものの内部に収容されているとともに、吐水口部材及び給水チューブの引出部分が吐水パイプの下側に配置されているため、吐水パイプの上面側の部分を凹凸の無い形状的に連続した滑らかな形状となすことができ、外観上最も目立ち易い吐水パイプの上面側の美観を良好となすことができる。
【００１３】
またその吐水パイプはグースネック形状をなしているため、その下側の吐水口部材や給水チューブの引出部分、更にこれを覆うカバーを、使用者から見て吐水パイプの下側に隠れた状態となすことができ、そのことと併せて吐水パイプの外観，デザイン性をシンプルで煩雑感の無いすっきりとした見栄えの良好なものとなすことができる。
更に吐水パイプの上面側を凹凸形状のない連続的な形状となすことが可能であり、そのことによって外観的に最も目立ち易い吐水パイプの上面側の清掃性を良好となすことができる。
【００１４】
吐水パイプの内部に給水チューブを配して、その給水チューブを吐水口部材に接続し、吐水口に給水を導く形態の吐水装置にあっては、通常は吐水パイプの先端に吐水口部材を設け、そして吐水チューブを吐水パイプの先端に到るまで吐水パイプ内部に通して、これを吐水口部材に接続したうえ、センサを別の個所に設けるのが普通である。
【００１５】
しかるに本発明は、これとは異なって吐水パイプの先端部の内部にセンサを設ける一方、吐水口部材を吐水パイプの外に配置して、給水チューブを吐水パイプの途中から外側に引き出し、吐水口部材に接続するようになしたもので、この点に形態的な特徴を有し、そのことによって吐水パイプを主体とする吐水装置の美観を良好となし得、またセンサのメンテナンス性を良好となし得たものである。
【００１６】
更に本発明では、センサを吐水パイプの先端面の開口から引出可能となすとともに、上記カバーを脱着可能に設けて、そのカバーにセンサの引出しを阻止するストッパを設けており、このようにすることで、カバーを僅かに外すだけでセンサが取出可能となり、センサのメンテンス性を更に良好となすことができる。
【発明を実施するための最良の形態】
【００１７】
次に本発明の実施形態を図面に基づいて詳しく説明する。
図１において、１０は本実施形態の吐水装置で、下端部に扁平形状で平面形状が矩形状をなす台座部１２を有しており、この台座部１２が、カウンターの上面等の取付面１４に着座せしめられている。
この台座部１２には、ポップアップ排水栓の操作部１６が設けられている。
【００１８】
台座部１２からは、吐水パイプ１８が立ち上がっている。この実施形態では、吐水部２０の先端に到るまで吐水パイプ１８が延びている。
ここで吐水パイプ１８は、その上部が逆Ｕ字形状のグースネック形状をなしており、最上位の部位から先端にかけて、前方に位置する使用者に向い前方斜め下向きに連続的に移行する下がり形状をなしている。
【００１９】
吐水部２０の先端には、吐水口２２と人体検知を行うセンサ２４とが設けられており、そのセンサ２４による人体検知に基づいて吐水口２２から自動的に吐水が行われる。
センサ２４は光電式のもので、図１（Ｂ）に示しているように発光部２４Ａと受光部２４Ｂとを有しており、発光部２４Ａから発せられて人体により反射された光を、受光部２４Ｂで受光することによって人体の検知を行う。
この実施形態では、センサ２４が人体検知している間吐水を行い、そしてセンサ２４が人体非検知となることによって止水が行われる。
【００２０】
図３に示しているように、吐水パイプ１８の先端部の内部にはセンサ空間２６が形成されていて、そこにセンサ２４がセンサケーシング２８とともに収容されている。
そしてそのセンサ２４に対し、吐水パイプ１８に沿ってその内部に配線されたリード線３０が、コネクタ３２を介して接続されている。
尚リード線３０の他端は、図示を省略するコントローラに接続されている。
【００２１】
センサケーシング２８は、図５に示しているように筒状をなしており、その内側の凹所３４にセンサ２４が挿入されてそこに保持されている。
凹所３４は、図３に示しているように吐水パイプ１８の先端面で開口しており、その開口３６を通じて、センサ２４が吐水パイプ１８外に引き出し可能とされている。
【００２２】
尚、吐水パイプ１８自体もその先端面が開口形状をなしており、その開口４０を通じて、センサケーシング２８が吐水パイプ１８内部に挿入され、組み付けられている。
この実施形態では、センサケーシング２８そのものも、開口４０を通じて吐水パイプ１８から引き出し可能である。
【００２３】
図５に示しているように、センサ２４の下面には抜け防止用の突起４２が設けられている。
またセンサケーシング２８においても、その下面に突起４４が設けられている。
ここでセンサケーシング２８の平板形状の底部には前端に切欠き４６が形成されており、そこにセンサ２４の突起４２が収められている。
【００２４】
この実施形態では、吐水パイプ１８の横断面形状が略半円形状をなしており、これに対応してセンサケーシング２８の前端に対応する形状の鍔状部４８が形成されている。詳しくは外周形状が半円形状をなす鍔状部４８が形成されている。
そしてこの鍔状部４８と、センサケーシング２８の内部に収められたセンサ２４の前端面とによって、吐水パイプ１８の前端の開口４０が閉鎖されている。
【００２５】
吐水パイプ１８の内部には、図３に示しているようにその基端から吐水パイプ１８に沿って給水チューブ５０が配管されており、その先端側の部分が、吐水パイプ１８から外部に引き出されている。
詳しくは、吐水パイプ１８には先端から基端側に所定距離離隔した位置に貫通の引出開口５２が形成されていて、給水チューブ５０の先端側の部分が、その引出開口５２から吐水パイプ１８の外部且つ吐水パイプ１８の先端部の下側に引き出されている。
図中５０Ａはその引出部分を表している。
そしてこの引出部分５０Ａの先端が、吐水パイプ１８の先端の下側に配置された吐水口部材５４に接続されている。
図中５６は、引出部分５０Ａと吐水口部材５４とを接続状態にクランプする板ばね製のクランプ部材である。
【００２６】
５８は、吐水パイプ１８の先端部の下側に設けられたカバーで、このカバー５８の内側に、詳しくはこのカバー５８と吐水パイプ１８の先端部の下面との間に収容空間６０が形成している。
そしてその収容空間６０に、給水チューブ５０における上記の引出部分５０Ａが、吐水口部材５４の一部とともに収容されている。
尚吐水パイプ１８における先端部の下面は、図４に示しているように平坦部６２を成している。
【００２７】
カバー５８は、図４及び図６に示しているように下面及び両側面が閉鎖形状で上面が開口形状をなしており、その上面の開口部分を吐水パイプ１８の下面にて閉鎖するようにして、かかるカバー５８が吐水パイプ１８に脱着可能に取り付けられている。
【００２８】
カバー５８は、後端上部に一対のフック部６４を、また前端の上部に引掛部６６を有しており、そして後端のフック部６４を、図３に示しているように吐水パイプ１８における引出開口５２の縁部に掛止させ、また前端の引掛部６６を、図１（Ｂ）に示しているように吐水パイプ１８の図５の前端の掛止部６８に掛止させている。
そしてその状態で、カバー５８に設けられた一対のビス孔７０（図４及び図６参照）に下面側からビスが挿通され、そしてそれらビスが吐水パイプ１８の下面の雌ねじ孔７２（図４参照）にねじ込まれることで、カバー５８が強固に吐水パイプ１８の下面に固定されている。
【００２９】
図４に示しているようにカバー５８はまた、その前端面も閉鎖されている。
その前端面には開口７４が形成されており、その開口７４を通じて吐水口部材５４がカバー５８の外部且つ前方に突出せしめられている。
カバー５８は、その前端上部に上向きに突出した形状のストッパ７６を有しており、そのストッパ７６が、上記センサ２４の下面に設けられた突起４２及びセンサケーシング２８の前端の前側に位置させられている。
そしてこのストッパ７６の、突起４２及びケーシング２８の前端に対する当接作用即ちストッパ作用によって、図３の部分拡大図に詳しく示しているようにセンサ２４及びセンサケーシング２８が吐水パイプ１８から引出方向に抜止めされている。
【００３０】
尚、図３及び図４に示しているように吐水口部材５４には径方向の突出部７８が設けられており、この突出部７８が、図３に示しているようにセンサケーシング２８の下面の突起４４に対し抜止方向に当接している。
この実施形態では、図２に示しているように使用者が吐水パイプ１８を下向きに見たとき、カバー５８が吐水パイプ１８の下側に隠れた状態となり、そしてカバー５８から突出した吐水口部材５４が、吐水パイプ１８の先端から前方斜め下向きに突出した状態となる。
【００３１】
この実施形態では、カバー５８を吐水パイプ１８に締結しているビスを緩め、そして図７に示しているようにカバー５８を僅かに吐水パイプ１８の下面から離間させるだけで、即ちカバー５８を僅かに外すだけで、カバー５８のストッパ７６によるストッパ作用が解除されて、センサ２４がセンサケーシング２８の開口３６を通じて前方に引出し可能となる。
【００３２】
或いはまた、場合によってセンサ２４をセンサケーシング２８ごと、吐水パイプ１８の先端開口４０から引き出すことができる。
従ってセンサ２４が故障するなどして、その取替えの必要が生じたとき、或いはその他メンテナンスをする必要が生じたとき、容易にセンサ２４を吐水パイプ１８から取り出してメンテナンスを行うことができる。
【００３３】
以上のような本実施形態においては、センサ空間２６と給水チューブ５０の引出部分５０Ａの収容空間６０とが別々の空間として形成されているため、センサ２４のメンテナンスを行う必要が生じたときに、センサ２４の位置が分り易いとともにセンサ２４の脱着が容易で、センサ２４のメンテナンス性を良好となすことができる。
【００３４】
また本実施形態では、センサ２４が吐水パイプ１８そのものの内部に収容されているとともに、吐水口部材５４及び給水チューブ５０の引出部分５０Ａが吐水パイプ１８の下側に配置されているため、吐水パイプ１８の上面側の部分を凹凸の無い形状的に連続した滑らかな形状となすことができ、外観上最も目立ち易い吐水パイプ１８の上面側の美観を良好となすことができる。
【００３５】
またその吐水パイプ１８はグースネック形状をなしているため、その下側の吐水口部材５４や給水チューブ５０の引出部分５０Ａ、更にこれを覆うカバー５８を、使用者から見て吐水パイプ１８の下側に隠れた状態となすことができ、そのことと併せて吐水パイプ１８の外観，デザイン性をシンプルで煩雑感の無いすっきりとした見栄えの良好なものとなすことができる。
更に吐水パイプ１８の上面側を凹凸形状のない連続的な形状となすことが可能で、そのことによって外観的に最も目立ち易い吐水パイプ１８の上面側の清掃性を良好となすことができる。
【００３６】
本実施形態では、センサ２４を吐水パイプ１８の先端面の開口４０から引出可能となすとともに、カバー５８を脱着可能に設けて、そのカバー５８にセンサ２４の引出しを阻止するストッパ７６を設けているため、かかる本実施形態によればカバー５８を僅かに外すだけでセンサ２４が取出可能となり、センサ２４のメンテンス性を一層良好とすることができる。
【００３７】
以上本発明の実施形態を詳述したが、これはあくまで一例示であり、本発明はその趣旨を逸脱しない範囲において種々変更を加えた形態で構成可能である。
【図面の簡単な説明】
【００３８】
【図１】本発明の一実施形態である吐水装置の斜視図である。
【図２】図１の吐水装置を上側から下向きに見た状態の斜視図である。
【図３】同実施形態の吐水装置の要部の断面図である。
【図４】図３の要部を各部材に分解して示した斜視図である。
【図５】同実施形態におけるセンサ及びセンサケーシングの単品図及びそれらの組付状態の図である。
【図６】同実施形態における給水チューブの引出部分及びカバーの斜視図である。
【図７】同実施形態の作用説明図である。
【符号の説明】
【００３９】
１０  吐水装置
１８  吐水パイプ
２２  吐水口
２４  センサ
２６  センサ空間
４０  開口
５０  給水チューブ
５０Ａ  引出部分
５２  引出開口
５８  カバー
７６  ストッパ
【図１】
0005078575.tif 000002
【図２】
0005078575.tif 000003
【図３】
0005078575.tif 000004
【図４】
0005078575.tif 000005
【図５】
0005078575.tif 000006
【図６】
0005078575.tif 000007
【図７】
0005078575.tif 000008